(57)【特許請求の範囲】
【請求項１】
記録媒体に画像を記録するための記録部と、
前記記録部による記録媒体への画像の記録位置を通過するように記録媒体を搬送する搬送機構と、
前記搬送機構の駆動源と、
前記記録部によって記録媒体に記録される画像に係る画像データであって記録媒体のページ単位で管理された画像データ、及び、前記画像データを用いた記録媒体への記録ページ数を記憶する記憶部と、
制御部とを備えており、
前記制御部は、
前記記録部による記録媒体への記録がページ単位で完了することに基づいて前記記憶部に記憶された前記記録ページ数を減少させる減少処理ルーチンと、前記記憶部に記憶された前記画像データの量がページ単位で増加することに基づいて前記記憶部に記憶された前記記録ページ数を増加させる増加処理ルーチンとを並行して実行する、記録ページ数の増減処理と、
前記記憶部に記憶された前記記録ページ数が２以上の所定数以上であるかを判断し、前記記録ページ数が前記所定数未満であると判断された場合には、記録媒体が第１速度で搬送されつつ前記記録部による記録が行われるように前記駆動源及び前記記録部を制御し、前記記録ページ数が前記所定数以上であると判断された場合には、記録媒体が前記第１速度よりも大きい第２速度で搬送されつつ前記記録部による記録が行われるように前記駆動源及び前記記録部を制御する記録処理とを実行可能であることを特徴とする記録装置。
【請求項２】
前記制御部は、
前記記録処理において、前記記録ページ数が前記所定数以上であると判断されて記録媒体が前記第２速度で搬送されつつ前記記録部による記録が開始されると、前記記録ページ数が前記所定数未満に減少した後においても、記録媒体が前記第２速度で搬送されつつ前記記録部による記録が行われるように前記駆動源及び前記記録部を制御することを特徴とする請求項１に記載の記録装置。
【請求項３】
前記制御部は、
前記記録処理において、前記記録ページ数が前記所定数以上であると判断されて記録媒体が前記第２速度で搬送されつつ前記記録部による記録が開始されてから、前記記録ページ数がゼロに減少して所定時間が経過すると、その後に前記記録ページ数が初めて前記所定数以上と判断されるまでは、記録媒体が前記第１速度で搬送されつつ前記記録部による記録が行われるように前記駆動源及び前記記録部を制御することを特徴とする請求項２に記載の記録装置。
【請求項４】
画像処理部をさらに備えており、
前記記憶部に記憶された前記画像データは、前記画像処理部において画像処理されたデータであることを特徴とする請求項１〜３のいずれか１項に記載の記録装置。
【請求項５】
前記制御部は、
前記搬送機構によって搬送される記録媒体が前記記録位置を通過したことを検知する検知処理をさらに実行可能であり、
前記記録処理において前記記録ページ数の判断が前記所定数未満から前記所定数以上に変化し、且つ、当該変化に係る判断がされた時点において記録媒体が前記記録位置にある場合には、当該記録媒体が前記記録位置を通過したことが検知されたときに、記録媒体の搬送速度が前記第１速度から前記第２速度に切り替えられるように前記駆動源を制御することを特徴とする請求項１〜４のいずれか１項に記載の記録装置。
【請求項６】
前記記録部は、前記記録位置を通過する記録媒体と対向する対向面を有し、
前記対向面は、前記搬送機構によって搬送される記録媒体が前記記録位置を通過するときに記録媒体が搬送される方向である搬送方向と直交する方向に長尺であることを特徴とする請求項１〜５のいずれか１項に記載の記録装置。
【請求項７】
記録媒体に画像を記録するための記録部と、前記記録部による記録媒体への画像の記録位置を通過するように記録媒体を搬送する搬送機構と、前記搬送機構の駆動源と、前記記録部によって記録媒体に記録される画像に係る画像データであって記録媒体のページ単位で管理された画像データ、及び、前記画像データを用いた記録媒体への記録ページ数を記憶する記憶部と、制御部とを備えた記録装置において、前記制御部を、
前記記録部による記録媒体への記録がページ単位で完了することに基づいて前記記憶部に記憶された前記記録ページ数を減少させる減少処理ルーチンと、前記記憶部に記憶された前記画像データの量がページ単位で増加することに基づいて前記記憶部に記憶された前記記録ページ数を増加させる増加処理ルーチンとを並行して実行する、記録ページ数の増減処理と、
前記記憶部に記憶された前記記録ページ数が２以上の所定数以上であるかを判断し、前記記録ページ数が前記所定数未満であると判断された場合には、記録媒体が第１速度で搬送されつつ前記記録部による記録が行われるように前記駆動源及び前記記録部を制御し、前記記録ページ数が前記所定数以上であると判断された場合には、記録媒体が前記第１速度よりも大きい第２速度で搬送されつつ前記記録部による記録が行われるように前記駆動源及び前記記録部を制御する記録処理とを実行可能に機能させることを特徴とするプログラム。
【発明の詳細な説明】
【技術分野】
【０００１】
本発明は、記録装置（特に高速記録が可能な記録装置）及びプログラムに関する。
【背景技術】
【０００２】
近年、インクジェットプリンタ等の記録装置において記録の高速化が進んでいる。例えば特許文献１に開示されたインクジェット記録装置は、用紙幅以上の長さを有する長尺のライン式記録ヘッドを用いたものであって、記録ヘッドが取り付けられたキャリッジが用紙幅方向に往復移動しつつ記録を行うシリアル式のインクジェット記録装置に比べて、記録速度の大幅な向上が可能となっている。
【先行技術文献】
【特許文献】
【０００３】
【特許文献１】特開２００１−２８７３７７号公報
【発明の概要】
【発明が解決しようとする課題】
【０００４】
高速記録を行うには記録媒体を高速搬送する必要があるため、記録媒体の搬送機構の駆動源であるモータの回転数を大きくしなければならない。しかし、モータ回転数の増加に伴って記録装置において発生する騒音が大きくなり、騒音によって記録装置付近にいるユーザに不快感を与える場合がある。このように高速記録と低騒音とは通常両立しない。一方において、高速記録が可能な記録装置を使用するユーザは、常に高速記録を希望する訳ではなく、高速記録よりも低騒音を希望することがある。本発明者の知見によると、ユーザは記録ページ数が多い場合には低騒音よりも高速記録を優先し、記録ページ数が少ない場合には高速記録よりも低騒音を優先する傾向にあり、特にオフィスにおいてはそのような傾向が強い。
【０００５】
本発明の目的は、ユーザの利便性を図りつつ記録速度を適正化して騒音を低減することが可能な記録装置及びプログラムを提供することである。
【課題を解決するための手段】
【０００６】
本発明に係る記録装置は、記録媒体に画像を記録するための記録部と、前記記録部による記録媒体への画像の記録位置を通過するように記録媒体を搬送する搬送機構と、前記搬送機構の駆動源と、前記記録部によって記録媒体に記録される画像に係る画像データであって記録媒体のページ単位で管理された画像データ、及び、前記画像データを用いた記録媒体への記録ページ数を記憶する記憶部と、制御部とを備えており、前記制御部は、前記記録部による記録媒体への記録がページ単位で完了することに基づいて前記記憶部に記憶された前記記録ページ数を減少させる減少処理ルーチンと、前記記憶部に記憶された前記画像データの量がページ単位で増加することに基づいて前記記憶部に記憶された前記記録ページ数を増加させる増加処理ルーチンとを並行して実行する、記録ページ数の増減処理と、前記記憶部に記憶された前記記録ページ数が２以上の所定数以上であるかを判断し、前記記録ページ数が前記所定数未満であると判断された場合には、記録媒体が第１速度で搬送されつつ前記記録部による記録が行われるように前記駆動源及び前記記録部を制御し、前記記録ページ数が前記所定数以上であると判断された場合には、記録媒体が前記第１速度よりも大きい第２速度で搬送されつつ前記記録部による記録が行われるように前記駆動源及び前記記録部を制御する記録処理とを実行可能であることを特徴とする。
【０００７】
本発明に係るプログラムは、記録媒体に画像を記録するための記録部と、前記記録部による記録媒体への画像の記録位置を通過するように記録媒体を搬送する搬送機構と、前記搬送機構の駆動源と、前記記録部によって記録媒体に記録される画像に係る画像データであって記録媒体のページ単位で管理された画像データ、及び、前記画像データを用いた記録媒体への記録ページ数を記憶する記憶部と、制御部とを備えた記録装置において、前記制御部を、前記記録部による記録媒体への記録がページ単位で完了することに基づいて前記記憶部に記憶された前記記録ページ数を減少させる減少処理ルーチンと、前記記憶部に記憶された前記画像データの量がページ単位で増加することに基づいて前記記憶部に記憶された前記記録ページ数を増加させる増加処理ルーチンとを並行して実行する、記録ページ数の増減処理と、前記記憶部に記憶された前記記録ページ数が２以上の所定数以上であるかを判断し、前記記録ページ数が前記所定数未満であると判断された場合には、記録媒体が第１速度で搬送されつつ前記記録部による記録が行われるように前記駆動源及び前記記録部を制御し、前記記録ページ数が前記所定数以上であると判断された場合には、記録媒体が前記第１速度よりも大きい第２速度で搬送されつつ前記記録部による記録が行われるように前記駆動源及び前記記録部を制御する記録処理とを実行可能に機能させることを特徴とする。
【０００８】
本発明によれば、制御部が実行する記録処理により、記憶部に記憶された記録ページ数が所定数未満の場合（即ち、記録ページ数が少ない場合）には、記録媒体が第１速度（低速）で搬送されるように駆動源が駆動され、低騒音が実現される一方、記憶部に記憶された記録ページ数が所定数以上の場合（即ち、記録ページ数が多い場合）には、記録媒体が第２速度（高速）で搬送されるように駆動源が駆動され、高速記録が実現される。このように、記憶部に記憶された記録ページ数に基づいて低速搬送（低騒音）及び高速搬送（高速記録）のいずれかを選択的に行うことにより、ユーザの利便性を図りつつ記録速度を適正化して騒音を低減することが可能である。
【０００９】
前記制御部は、前記記録処理において、前記記録ページ数が前記所定数以上であると判断されて記録媒体が前記第２速度で搬送されつつ前記記録部による記録が開始されると、前記記録ページ数が前記所定数未満に減少した後においても、記録媒体が前記第２速度で搬送されつつ前記記録部による記録が行われるように前記駆動源及び前記記録部を制御してよい。
【００１０】
上記構成によれば、１つのジョブにおいて複数の記録媒体に対して連続して記録を行う際に、途中で記録媒体の搬送速度が第２速度（高速）から第１速度（低速）に切り替えられる場合に比べ、高速記録が確実に実現される。
【００１１】
前記制御部は、前記記録処理において、前記記録ページ数が前記所定数以上であると判断されて記録媒体が前記第２速度で搬送されつつ前記記録部による記録が開始されてから、前記記録ページ数がゼロに減少して所定時間が経過すると、その後に前記記録ページ数が初めて前記所定数以上と判断されるまでは、記録媒体が前記第１速度で搬送されつつ前記記録部による記録が行われるように前記駆動源及び前記記録部を制御してよい。
【００１２】
上記構成によれば、記録媒体の搬送速度を第２速度（高速）とした１つのジョブが終了した後は、一旦記録媒体の搬送速度を第１速度（低速）とする。これにより、１つのジョブが終了した後、記録ページ数が所定数未満であるにも関わらず第２速度（高速）が維持されることによる騒音の問題を抑制することができる。
【００１３】
本発明に係る記録装置は、画像処理部をさらに備えており、前記記憶部に記憶された前記画像データは、前記画像処理部において画像処理されたデータであってよい。
【００１４】
上記構成によれば、記憶部に記憶された当該画像処理済の画像データを用いて迅速に記録処理を行うことができる。
【００１５】
前記制御部は、前記搬送機構によって搬送される記録媒体が前記記録位置を通過したことを検知する検知処理をさらに実行可能であり、前記記録処理において前記記録ページ数の判断が前記所定数未満から前記所定数以上に変化し、且つ、当該変化に係る判断がされた時点において記録媒体が前記記録位置にある場合には、当該記録媒体が前記記録位置を通過したことが検知されたときに、記録媒体の搬送速度が前記第１速度から前記第２速度に切り替えられるように前記駆動源を制御してよい。
【００１６】
記録媒体が記録位置を通過する前に記録媒体の搬送速度を切り替えると、当該記録媒体の記録品質が悪化し得るが、上記構成によれば、当該問題を抑制することができる。
【００１７】
前記記録部は、前記記録位置を通過する記録媒体と対向する対向面を有し、前記対向面は、前記搬送機構によって搬送される記録媒体が前記記録位置を通過するときに記録媒体が搬送される方向である搬送方向と直交する方向に長尺であってよい。
【００１８】
上記構成によれば、高速記録をより確実に実現することができる。
【発明の効果】
【００１９】
本発明によれば、制御部が実行する記録処理により、記憶部に記憶された記録ページ数が所定数未満の場合（即ち、記録ページ数が少ない場合）には、記録媒体が第１速度（低速）で搬送されるように駆動源が駆動され、低騒音が実現される一方、記憶部に記憶された記録ページ数が所定数以上の場合（即ち、記録ページ数が多い場合）には、記録媒体が第２速度（高速）で搬送されるように駆動源が駆動され、高速記録が実現される。このように、記憶部に記憶された記録ページ数に基づいて低速搬送（低騒音）及び高速搬送（高速記録）のいずれかを選択的に行うことにより、ユーザの利便性を図りつつ記録速度を適正化して騒音を低減することが可能である。
【図面の簡単な説明】
【００２０】
【図１】本発明の一実施形態に係るインクジェットプリンタの内部を示す側面図である。
【図２】本発明の一実施形態に係るインクジェットプリンタの電気的構成を示すブロック図である。
【図３】本発明の一実施形態においてＣＰＵが実行する記録ページ数の増加処理ルーチンを示すフロー図である。
【図４】本発明の一実施形態においてＣＰＵが実行する記録処理ルーチンを示すフロー図である。
【発明を実施するための形態】
【００２１】
本発明の一実施形態に係るインクジェットプリンタ（以下、単に「プリンタ」という。）１は、図１に示すように、直方体形状の筐体１ｘを含む。筐体１ｘ内には、インクジェットヘッド（以下、単に「ヘッド」という。）１０、プラテン１５、収容部２０、搬送機構３０、用紙センサ５３及び制御ユニット１００が配置されている。筐体１ｘの天板上部には、受容部４０が設けられている。また、筐体１ｘには、受容部４０に用紙Ｐを排出するための排出口１ｘ１が形成されている。
【００２２】
ヘッド１０は、主走査方向に長尺なラインヘッドである。ヘッド１０の下面１０ｘには、インクを吐出するための複数の吐出口が形成されている。
【００２３】
プラテン１５は、平坦な板であり、ヘッド１０の下方に配置されている。プラテン１５の上面１５ｘは、ヘッド１０の下面１０ｘと離隔しつつ対向している。
【００２４】
ヘッド１０の下面１０ｘとプラテン１５の上面１５ｘとの間隙が、記録位置Ａに該当する。ヘッド１０の下面１０ｘは、記録位置Ａを通過する用紙Ｐと対向する対向面であり、搬送機構３０によって搬送される用紙Ｐが記録位置Ａを通過するときに用紙Ｐが搬送される方向である搬送方向（副走査方向）と直交する方向（主走査方向）に長尺である。
【００２５】
収容部２０は、複数の用紙Ｐを収容可能なトレイであり、筐体１ｘに対して着脱可能である。
【００２６】
搬送機構３０は、ガイド３１ａ〜３１ｆ、給紙ローラ３２及びローラ対３３〜３８を含み、収容部２０に収容された用紙Ｐを搬送経路に沿って搬送するように構成されている。各ガイド３１ａ〜３１ｆは、その厚み方向に互いに離隔した一対のガイド板を含む。給紙ローラ３２は、収容部２０内で最も上方にある用紙Ｐの表面と接触するように配置されている。各ローラ対３３〜３８は、互いに接触する２つのローラを含む。搬送経路は、各ガイド３１ａ〜３１ｆの一対のガイド板間の空間、各ローラ対３３〜３８のローラ同士の接触点、及び、ヘッド１０の下面１０ｘとプラテン１５の上面１５ｘとの間隙（記録位置Ａ）によって、形成されている。ローラ対３３〜３８は、搬送経路に沿って離隔して配置されたガイド３１ａ〜３１ｆ間に配置されている。給紙ローラ３２、及び、各ローラ対３３〜３８のうちの一方のローラは、制御ユニット１００による制御の下、搬送モータ３０Ｍ（図２参照）の駆動により回転する駆動ローラである。各ローラ対３３〜３８のうち他方のローラは、上記一方のローラの回転に伴って回転する従動ローラである。各ローラ対３３〜３８において、一方のローラ及び他方のローラは、用紙Ｐを挟持しつつ互いに逆方向に回転する。
【００２７】
用紙センサ５３は、搬送経路に定められた検知位置５３ｘにおける用紙Ｐの有無を示す信号をそれぞれ出力する。用紙センサ５３は、当該検知位置５３ｘに用紙Ｐが有るときにＯＮ信号、用紙Ｐが無いときにＯＦＦ信号を出力する。検知位置５３ｘは、搬送方向においてヘッド１０の直ぐ上流にある。用紙センサ５３が出力する信号は、後述するＳ１６、Ｓ１８、Ｓ１９の処理等に用いられる。
【００２８】
制御ユニット１００は、図２に示すように、演算処理装置であるＣＰＵ（Central Processing Unit）１０１、ＲＯＭ（Read Only Memory）１０２、ＲＡＭ（Random Access Memory）１０３、ＡＳＩＣ（Application Specific Integrated Circuit）１０４、Ｉ／Ｆ（Interface）１０５及びＩ／Ｏ（Input/Output Port）１０６を含む。ＲＯＭ１０２は、ＣＰＵ１０１が実行するプログラム等の固定データを記憶している。ＲＡＭ１０３は、ＣＰＵ１０１がプログラムを実行するために必要なデータ（搬送速度の設定情報、画像データ、記録ページ数等）を一時的に記憶する。ＡＳＩＣ１０４は、画像データの書き替え、並び替え等（例えば、信号処理や画像処理）を行う。Ｉ／Ｆ１０５は、外部装置（例えば、プリンタ１に接続されたＰＣ）とデータの送受信を行う。Ｉ／Ｏ１０６は、用紙センサ５３を含む各種センサと信号の送受信を行う。ＣＰＵ１０１は、制御ユニット１００に含まれるＣＰＵ１０１以外の各部と電気的に接続されており、各部から受信したデータに基づいて制御を行う。
【００２９】
搬送速度の設定情報は、搬送機構３０による用紙Ｐの搬送速度の設定情報である。本実施形態において、搬送速度は「高速」「低速」のいずれかに設定される。
【００３０】
画像データは、ヘッド１０によって用紙Ｐに記録される画像に係るデータであって、用紙Ｐのページ単位で管理される。ＲＡＭ１０３に記憶された画像データは、ＡＳＩＣ１０４において画像処理されたデータ（具体的には、ヘッド１０の吐出口から吐出されるべきインクの量を示す、吐出口毎且つ画素毎に定められたデータ）である。画素は、用紙Ｐ上に形成される画像を構成する要素であり、用紙Ｐ上の画像形成領域に対応してマトリックス状に配置されている。本実施形態では、階調数が４であり、１画素を形成するインクの量が「ゼロ」「小」「中」「大」のそれぞれに対応する４種類のデータがＲＯＭ１０２に記憶されており、「ゼロ」「小」「中」「大」のいずれかのデータが吐出口毎に割り当てられる。
【００３１】
記録ページ数は、画像データを用いた用紙Ｐへの記録ページ数である。ＲＡＭ１０３に記憶された記録ページ数は、ヘッド１０による用紙Ｐへの記録がページ単位で完了することに基づいて減少し、ＲＡＭ１０３に記憶された画像データの量がページ単位で増加することに基づいて増加する。具体的には、ＣＰＵ１０１は、図３に示す記録ページ数の増加処理ルーチンと、図４に示す記録処理ルーチンとを並行して実行する。
【００３２】
図３に示す記録ページ数の増加処理ルーチンにおいて、ＣＰＵ１０１は、先ず、ＲＡＭ１０３に記憶された画像データの量がページ単位で増加したか否かを判断する（Ｓ１）。ＲＡＭ１０３に記憶された画像データの量がページ単位で増加していないと判断した場合（Ｓ１：ＮＯ）、ＣＰＵ１０１は、Ｓ１の処理を繰り返す。ＲＡＭ１０３に記憶された画像データの量がページ単位で増加したと判断した場合（Ｓ１：ＹＥＳ）、ＣＰＵ１０１は、記録ページ数ｎ（ｎ：０以上の整数）に、当該増加した画像データの量に対応したページ数α（α：自然数）を加算して、記録ページ数ｎ＋αとし、これをＲＡＭ１０３に記憶させる（Ｓ２）。Ｓ２の後、ＣＰＵ１０１は当該ルーチンを終了する。
【００３３】
図４に示す記録処理ルーチンにおいて、ＣＰＵ１０１は、先ず、ＲＡＭ１０３に記憶された記録ページ数ｎが０でないか否かを判断する（Ｓ１１）。ＲＡＭ１０３に記憶された記録ページ数ｎが０でないと判断した場合（Ｓ１１：ＹＥＳ）、ＣＰＵ１０１は、ＲＡＭ１０３に記憶された搬送速度の設定情報が「高速」であるか否かを判断する（Ｓ１２）。
【００３４】
ＲＡＭ１０３に記憶された搬送速度の設定情報が「高速」でない（即ち、「低速」である）と判断した場合（Ｓ１２：ＮＯ）、ＣＰＵ１０１は、ＲＡＭ１０３に記憶された記録ページ数ｎが所定数Ｎ（Ｎ：２以上の自然数）以上であるか否かを判断する（Ｓ１３）。ｎがＮ以上でない（即ち、Ｎ未満である）と判断した場合（Ｓ１３：ＮＯ）、ＣＰＵ１０１は、搬送モータ３０ＭがＯＮ状態（即ち、用紙搬送中）であるか否かを判断する（Ｓ１４）。
【００３５】
搬送モータ３０ＭがＯＮ状態でないと判断した場合（Ｓ１４：ＮＯ）、ＣＰＵ１０１は、「低速」に対応する速度で搬送モータ３０Ｍを駆動させ、ＯＮ状態とする（Ｓ１５）。これにより、収容部２０内で最も上方にある用紙Ｐが「低速」で送り出される。Ｓ１５の後、ＣＰＵ１０１は、搬送機構３０によって搬送された用紙Ｐが記録位置Ａを通過するときにヘッド１０の吐出口からインクが吐出され、用紙Ｐに画像が記録されるよう、ヘッド１０の駆動を制御する（Ｓ１６）。
【００３６】
搬送モータ３０ＭがＯＮ状態（即ち、用紙搬送中）であると判断した場合（Ｓ１４：ＹＥＳ）、ＣＰＵ１０１は、Ｓ１６の処理を行う。この場合においても、用紙Ｐの搬送及び記録は「低速」で行われる。
【００３７】
ＲＡＭ１０３に記憶された搬送速度の設定情報が「高速」であると判断した場合（Ｓ１２：ＹＥＳ）、ＣＰＵ１０１は、Ｓ１６の処理を行う。この場合、用紙Ｐの搬送及び記録は「高速」で行われる。
【００３８】
ｎがＮ以上であると判断した場合（Ｓ１３：ＹＥＳ）、ＣＰＵ１０１は、ＲＡＭ１０３に記憶された搬送速度の設定情報を「低速」から「高速」に書き替える（Ｓ１７）。Ｓ１７の後、ＣＰＵ１０１は、記録位置Ａに用紙Ｐがあるか否かを判断する（Ｓ１８）。記録位置Ａに用紙Ｐがあると判断した場合（Ｓ１８：ＹＥＳ）、ＣＰＵ１０１は、用紙Ｐが記録位置Ａを通過したか否かを判断する（Ｓ１９）。
【００３９】
用紙Ｐが記録位置Ａを通過していないと判断した場合（Ｓ１９：ＮＯ）、ＣＰＵ１０１は、Ｓ１９の処理を繰り返す。用紙Ｐが記録位置Ａを通過したと判断した場合（Ｓ１９：ＹＥＳ）、ＣＰＵ１０１は、用紙Ｐが記録位置Ａを通過したことが検知されたときに、搬送速度が「低速」から「高速」に切り替えられるように搬送モータ３０Ｍを制御する（Ｓ２０）。Ｓ２０の後、ＣＰＵ１０１は、Ｓ１６の処理を行う。この場合、先行する用紙Ｐ（即ち、Ｓ１９で記録位置Ａを通過したと判断された用紙Ｐ）の搬送及び記録は「低速」で行われるが、次の用紙Ｐの搬送及び記録は「高速」で行われる。
【００４０】
なお、Ｓ１８及びＳ１９の判断は、用紙センサ５３が出力する信号、搬送モータ３０Ｍの駆動速度、用紙Ｐの搬送経路に沿った長さ、等の種々のパラメータに基づいて行われてよい。
【００４１】
記録位置Ａに用紙Ｐがないと判断した場合（Ｓ１８：ＮＯ）、ＣＰＵ１０１は、搬送モータ３０ＭがＯＮ状態（即ち、用紙搬送中）であるか否かを判断する（Ｓ２１）。
【００４２】
搬送モータ３０ＭがＯＮ状態であると判断した場合（Ｓ２１：ＹＥＳ）、ＣＰＵ１０１は、Ｓ２０の処理を行う。
【００４３】
搬送モータ３０ＭがＯＮ状態でないと判断した場合（Ｓ２１：ＮＯ）、ＣＰＵ１０１は、「高速」に対応する速度で搬送モータ３０Ｍを駆動させ、ＯＮ状態とする（Ｓ２２）。これにより、収容部２０内で最も上方にある用紙Ｐが「高速」で送り出される。Ｓ２２の後、ＣＰＵ１０１は、Ｓ１６の処理を行う。この場合、用紙Ｐの搬送及び記録は「高速」で行われる。
【００４４】
Ｓ１６の後、ＣＰＵ１０１は、ＲＡＭ１０３に記憶された画像データの量、用紙センサ５３が出力する信号等から導出される用紙Ｐの位置情報等に基づいて、用紙Ｐへの記録がページ単位で完了したか否かを判断する（Ｓ２３）。用紙Ｐへの記録がページ単位で完了していないと判断した場合（Ｓ２３：ＮＯ）、ＣＰＵ１０１は、Ｓ２３の処理を繰り返す。用紙Ｐへの記録がページ単位で完了したと判断した場合（Ｓ２３：ＹＥＳ）、ＣＰＵ１０１は、記録ページ数ｎから１を減算して、記録ページ数ｎ−１とし、これをＲＡＭ１０３に記憶させる（Ｓ２４）。Ｓ２４の後、ＣＰＵ１０１は、処理をＳ１１に戻す。
【００４５】
ＲＡＭ１０３に記憶された記録ページ数ｎが０であると判断した場合（Ｓ１１：ＮＯ）、ＣＰＵ１０１は、記録ページ数ｎが０であると判断してから所定時間が経過したか否かを判断する（Ｓ２５）。所定時間が経過していないと判断した場合（Ｓ２５：ＮＯ）、ＣＰＵ１０１は、処理をＳ１１に戻す。
【００４６】
所定時間が経過したと判断した場合（Ｓ２５：ＹＥＳ）、ＣＰＵ１０１は、搬送モータ３０ＭがＯＮ状態の場合はＯＦＦ状態に切り替え、搬送モータ３０ＭがＯＦＦ状態の場合はＯＦＦ状態を保持させる（Ｓ２６）。Ｓ２６の後、ＣＰＵ１０１は、ＲＡＭ１０３に記憶された搬送速度の設定情報が「高速」の場合は当該設定情報を「低速」に書き替え、ＲＡＭ１０３に記憶された搬送速度の設定情報が「低速」の場合は当該設定情報を保持させる（Ｓ２７）。Ｓ２７の後、ＣＰＵ１０１は当該ルーチンを終了する。
【００４７】
なお、本発明に係る「記録ページ数の増減処理」は、図３に示す記録ページ数の増加処理ルーチンと、図４に示す記録処理ルーチンのＳ２３，Ｓ２４とで構成される。本発明に係る「記録処理」は、図４に示す記録処理ルーチン全体の処理で構成される。本発明に係る「検知処理」は、図４に示す記録処理ルーチンのＳ１９で構成される。
【００４８】
以上に述べたように、本実施形態によれば、ＣＰＵ１０１が実行する記録処理により、ＲＡＭ１０３に記憶された記録ページ数ｎが所定数Ｎ未満の場合（即ち、記録ページ数ｎが少ない場合）には、用紙Ｐが「低速（第１速度）」で搬送されるように搬送モータ３０Ｍが駆動される（Ｓ１３：ＮＯ→Ｓ１４〜Ｓ１６）。これにより、低騒音が実現される。一方、ＲＡＭ１０３に記憶された記録ページ数ｎが所定数Ｎ以上の場合（即ち、記録ページ数ｎが多い場合）には、用紙Ｐが「高速（第２速度）」で搬送されるように搬送モータ３０Ｍが駆動される（Ｓ１３：ＹＥＳ→Ｓ１７〜Ｓ２２）。これにより、高速記録が実現される。このように、ＲＡＭ１０３に記憶された記録ページ数ｎに基づいて低速搬送（低騒音）及び高速搬送（高速記録）のいずれかを選択的に行うことにより、ユーザの利便性を図りつつ記録速度を適正化して騒音を低減することが可能である。
【００４９】
ＣＰＵ１０１は、記録処理において、記録ページ数ｎが所定数Ｎ以上であると判断されて用紙Ｐが「高速（第２速度）」で搬送されつつヘッド１０による記録が開始されると、記録ページ数ｎが所定数Ｎ未満に減少した後においても、用紙Ｐが「高速（第２速度）」で搬送されつつヘッド１０による記録が行われるように搬送モータ３０Ｍ及びヘッド１０を制御する（Ｓ１２：ＹＥＳ→（Ｓ１３をスキップ）Ｓ１６）。上記構成によれば、１つのジョブにおいて複数の用紙Ｐに対して連続して記録を行う際に、途中で用紙Ｐの搬送速度が「高速（第２速度）」から「低速（第１速度）」に切り替えられる場合に比べ、高速記録が確実に実現される。
【００５０】
ＣＰＵ１０１は、記録処理において、記録ページ数ｎが所定数Ｎ以上であると判断されて用紙Ｐが「高速（第２速度）」で搬送されつつヘッド１０による記録が開始されてから、記録ページ数ｎがゼロに減少して所定時間が経過すると（Ｓ２５：ＹＥＳ）、その後に記録ページ数ｎが初めて所定数Ｎ以上と判断されるまでは、用紙Ｐが「低速（第１速度）」で搬送されつつヘッド１０による記録が行われるように搬送モータ３０Ｍ及びヘッド１０を制御する（Ｓ２７→Ｓ１１：ＹＥＳ→Ｓ２：ＮＯ→Ｓ１３）。上記構成によれば、用紙Ｐの搬送速度を「高速（第２速度）」とした１つのジョブが終了した後は、一旦用紙Ｐの搬送速度を「低速（第１速度）」とする。これにより、１つのジョブが終了した後、記録ページ数ｎが所定数Ｎ未満であるにも関わらず「高速（第２速度）」が維持されることによる騒音の問題を抑制することができる。
【００５１】
ＲＡＭ１０３に記憶された画像データは、ＡＳＩＣ１０４において画像処理されたデータである。上記構成によれば、ＲＡＭ１０３に記憶された当該画像処理済の画像データを用いて迅速に記録処理を行うことができる。
【００５２】
ＣＰＵ１０１は、記録処理において記録ページ数ｎの判断が所定数Ｎ未満から所定数Ｎ以上に変化し、且つ、当該変化に係る判断がされた時点において用紙Ｐが記録位置Ａにある場合には（Ｓ１３：ＹＥＳ→Ｓ１７→Ｓ１８：ＹＥＳ）、当該用紙Ｐが記録位置Ａを通過したことが検知されたときに、用紙Ｐの搬送速度が「低速（第１速度）」から「高速（第２速度）」に切り替えられるように搬送モータ３０Ｍを制御する（Ｓ１９：ＹＥＳ→Ｓ２０）。用紙Ｐが記録位置Ａを通過する前に用紙Ｐの搬送速度を切り替えると、当該用紙Ｐの記録品質が悪化し得るが、上記構成によれば、当該問題を抑制することができる。
【００５３】
ヘッド１０の下面１０ｘは、搬送方向と直交する方向（主走査方向）に長尺である。上記構成によれば、高速記録をより確実に実現することができる。
【００５４】
以上、本発明の好適な実施の形態について説明したが、本発明は上述の実施形態に限られるものではなく、特許請求の範囲に記載した限りにおいて様々な設計変更が可能なものである。
【００５５】
・搬送速度は、２段階でなく、３以上の段階に設定されてもよい。
・記憶部に記憶された画像データは、画像処理されたデータでなくてもよい。
・検知処理は、センサが出力する信号に基づかず、任意の方法で（例えば、搬送モータの駆動開始時点、搬送モータの駆動速度等のパラメータを用いた計算に基づいて）行われてよい。
・搬送機構は、記録媒体を挟持しつつ回転するローラ対を含む構成に限定されず、記録媒体を表面に支持しつつ走行するベルトを含む構成であってもよい。
・記録部は、ライン式に限定されず、シリアル式であってもよい。また、記録部は、インクジェット式に限定されず、レーザー式、サーマル式等であってもよい。記録装置に含まれる記録部の数は、任意であり、１つに限定されず、複数であってもよい。
・記録媒体は、用紙に限定されず、布等であってもよい。
・記録装置は、プリンタに限定されず、ファクシミリ、コピー機、複合機等であってもよい。
【符号の説明】
【００５６】
１  インクジェットプリンタ（記録装置）
１０  インクジェットヘッド（記録部）
１０ｘ  下面（対向面）
３０  搬送機構
３０Ｍ  搬送モータ（駆動源）
５３  用紙センサ
１００  制御ユニット
１０１  ＣＰＵ（制御部）
１０３  ＲＡＭ（記憶部）
１０４  ＡＳＩＣ（画像処理部）
Ａ  記録位置
Ｐ  用紙（記録媒体）
【図１】
0006540157.tif 000002
【図２】
0006540157.tif 000003
【図３】
0006540157.tif 000004
【図４】
0006540157.tif 000005